(57)【要約】複数のビットがシンボルのビット位置にマッピングされ送信が当該ビット位置のうち少なくとも２つについて異なる誤り率を有する高次変調方式を用いるディジタルデータ送信の方法及び装置が開示される。ビットは、レピティションのために原ビットのデータストリームから選択され、レピティションされる。レピティションされているビットとレピティションされていないビットとは、変調シンボルにマッピングされる。ビット位置へのビットのマッピングは、ビット位置の誤り率と選択結果とに依存する。
2008539617.tif 000002
【特許請求の範囲】
【請求項１】
複数の送信ビットがシンボルのビット位置にマッピングされ送信が前記ビット位置のうち少なくとも２つについて異なる誤り率を有する高次変調方式を用いるディジタルデータ送信方法であって、
ａ）レピティションのために、原ビットのデータストリームからビットを選択し、選択されたビットをレピティションして（Ｓ１６０２）、送信ビットのストリームを得るステップと、
ｂ）ビットをビット位置の誤り率に応じ且つステップａ）の選択結果に応じて選択されたビット位置に優先的にマッピングするように、送信ビットを変調シンボルにマッピングするステップ（Ｓ１６０４）と、
ｃ）マッピングされたビットに従ってキャリアを変調するステップ（Ｓ１６０５）と、
を有する方法。
【請求項２】
原ビットに属する送信ビットは、当該原ビットのレピティションの総数に応じて選択されたビット位置に、優先的にマッピングされる、請求項１記載の方法。
【請求項３】
送信ビットは、当該原ビットの前回送信の数に応じて選択されたビット位置に、優先的にマッピングされる、請求項１記載の方法。
【請求項４】
当該原ビットのレピティション数がより低い送信ビットは、より低い誤り率すなわちより高い信頼性を有するビット位置に、優先的にマッピングされ、当該原ビットのレピティション数が比較的より高い送信ビットは、比較的より高い誤り率すなわちより低い信頼性を有するビット位置に、優先的にマッピングされる、請求項２記載の方法。
【請求項５】
ステップｂ）当該原ビットのレピティション数の関数として送信ビットがマッピングされるビット位置の誤り率により、全てのビットについて単調な関数が得られる、請求項１、２又は４記載の方法。
【請求項６】
全ての原ビットは、１回送信される第１グループの原ビットのと、２回送信される第２グループの原ビットとに分けられ、全てのビット位置は、比較的低誤り率を有する第１グループのビット位置と、比較的より高い誤り率を有する第２グループのビット位置とに分けられ、第１グループの原ビットに属する原ビットの送信ビットは、第１グループのビット位置に属するビット位置に、優先的にマッピングされる、請求項２、４又は５記載の方法。
【請求項７】
全てのビットは、１回送信される第１グループの原ビットのと、２回送信される第２グループの原ビットとに分けられ、
シンボルにおける全てのビット位置は、グループからグループに上昇する誤り率を有する少なくとも３つのグループのビット位置に分けられ、
ステップｂ）は、第１グループの原ビットに属する原ビットの送信ビットを、最低誤り率を有する第１グループのビット位置内の位置に、優先的にマッピングし、第２グループの原ビットに属する原ビットの送信ビットを、その後に空いたまま残っているビット位置に、マッピングする、請求項２、４又は５記載の方法。
【請求項８】
全ての原ビットは、グループからグループに上昇する送信数を有する３つのグループの原ビットに分けられ、
シンボルにおける全てのビット位置は、グループからグループに上昇する誤り率を有する少なくとも３つのグループのビット位置に分けられ、
ステップｂ）は、第１グループの原ビットに属する原ビットの送信ビットを、最低誤り率を有する第１グループのビット位置内の位置に、優先的にマッピングし、第３グループの原ビットに属する原ビットの送信ビットを、最高誤り率を有する第３グループの位置内の位置に、優先的にマッピングし、残りの送信ビットを、その後に空いたまま残っているビット位置に、マッピングする、請求項２、４又は５記載の方法。
【請求項９】
全ての原ビットは、グループからグループに上昇する送信数を有する３つのグループの原ビットに分けられ、
シンボルにおける全てのビット位置は、低誤り率を有する第１グループと、第１グループ内のビット位置よりも高い誤り率を有する第２グループとに分けられ、
ステップｂ）は、第１グループの原ビットに属する原ビットの送信ビットを、第１グループのビット位置内の位置に、優先的にマッピングし、第３グループの原ビットに属する原ビットの送信ビットを、第２グループのビット位置のビット位置に、優先的にマッピングし、第２グループの原ビットに属する原ビットの送信ビットを、その後に空いたまま残っているビット位置に、マッピングする、請求項２、４又は５記載の方法。
【請求項１０】
ｎ個の送信ビットが１つのシンボルにマッピングされ、第１グループのビット位置はｎ−ｍ個のビット位置を有し、第２グループはｍ個のビット位置を有し、ステップａ）での選択は、比２・ｊ／（ｋ−ｊ）が平均ｍ／（ｎ−ｍ）に等しくなるように、レピティションのためにｋ個の原ビットからｊ個を選択するよう制御される、請求項６記載の方法。
【請求項１１】
ステップａ）は、パンクチャリングのために原ビットのデータストリームからビットを選択し、選択されたビットをパンクチャリングするステップをさらに有し、
ｋ個の原ビットのうちｊ個が、レピティションのために選択され、ｋ個の原ビットのうちｈ個が、パンクチャリングのために選択され、
ｎビットが１つのシンボルにマッピングされ、第１グループのビット位置は、ｎ−ｍ個のビット位置を有し、第２グループはｍ個のビット位置を有し、
ステップａ）は、レピティションされていない原ビットとレピティションされている原ビットとの数ｋ−ｊ−ｈに対する、レピティションされている原ビットの数ｊの比２・ｊ／（ｋ−ｊ−ｈ）が、平均でｍ／（ｎ−ｍ）に等しくなるように、制御される、請求項６記載の方法。
【請求項１２】
ｎ個の送信ビットは１つのシンボルにマッピングされ、第１グループのビット位置はｎ−ｍ個のビット位置を有し、第２グループはｍ個のビット位置を有し、１回だけ送信される原ビットの数（ｋ−ｊ）に対する、レピティションされている原ビットの数ｊの２倍の比２・ｊ／（ｋ−ｊ）が、平均でｍ／（ｎ−ｍ）よりも大きい場合に、レピティションされている原ビットにおいて過剰な送信ビットは、より低い誤り率を有するビット位置にマッピングされる、請求項６記載の方法。
【請求項１３】
ｎ個の送信ビットは１つのシンボルにマッピングされ、第１グループのビット位置はｎ−ｍ個のビット位置を有し、第２グループはｍ個のビット位置を有し、１回だけ送信される原ビットの数（ｋ−ｊ）に対する、レピティションされている原ビットの数ｊの２倍の比２・ｊ／（ｋ−ｊ）が、平均でｍ／（ｎ−ｍ）よりも大きい場合に、１回だけ送信される原ビットにおいて過剰な送信ビットは、より高い誤り率を有するビット位置にマッピングされる、請求項６記載の方法。
【請求項１４】
ディジタルデータ送信器のプロセッサにおいて実行されると、請求項１から請求項１３のいずれかに記載の方法を当該送信器に実行させる指示を記憶する、コンピュータ読取可能データ格納媒体。
【請求項１５】
複数の送信ビットがシンボルのビット位置にマッピングされ送信が前記ビット位置のうち少なくとも２つについて異なる誤り率を有する高次変調方式を用いるディジタルデータ送信の送信器であって、
レピティションのために原ビットのデータストリームからビットを選択し、選択されたビットをレピティションして、送信ビットのストリームを得るレートマッチング手段（８０３）と、
ビットがビット位置の誤り率に応じ且つ前記レートマッチング手段の選択結果に応じて選択されたビット位置にマッピングされるよう送信ビットを変調シンボルにマッピングするマッピング手段（８０５、８０６）と、
マッピングされたビットに従ってキャリアを変調する手段（８０５）と、
を有する送信器。
【請求項１６】
前記マッピング手段（８０５、８０６）は、原ビットに属する送信ビットを、当該原ビットの送信数にさらに応じて選択されたビット位置に、優先的にマッピングするようさらに構成された、請求項１５記載の送信器。
【請求項１７】
前記マッピング手段（８０５、８０６）は、当該原ビットの送信数がより低い送信ビットを、より低い誤り率すなわちより高い信頼性を有するビット位置に、優先的にマッピングし、当該原ビットの送信数が比較的より高い送信ビットを、比較的より高い誤り率すなわちより低い信頼性を有するビット位置に、優先的にマッピングする、請求項１６記載の送信器。
【請求項１８】
請求項１５から請求項１７に記載の送信器を少なくとも１つ有する、移動通信システムの基地局（１４００）。
【請求項１９】
請求項１５から請求項１７に記載の送信器を少なくとも１つ有する、移動通信システムの移動局（１５００）。
【請求項２０】
請求項１８記載の少なくとも１つの基地局（１４００）と、請求項１９記載の少なくとも１つの移動局（１５００）と、を有する移動通信システム。
【発明の詳細な説明】
【技術分野】
【０００１】
本発明は、送信器と受信器との間でのデータ通信に関する。特に、移動通信システム又は衛星通信システムのように、データが時間変動チャネル又は周波数変動チャネルで送信される通信システムに適用可能である。
【背景技術】
【０００２】
本発明は、例えば非特許文献１及び非特許文献２に記載されている、例えば、適応変調符号化（ＡＭＣ）によるリンク適合化を用いるシステムにおける、高次変調方式及びレートマッチングのためのビットからシンボルへのマッピングに対するものである。ＡＭＣは３ＧＰＰのＨＳＤＰＡに用いられる（上で引用した３ＧＰＰ  ＴＳ２５．３０８及び非特許文献３参照）。
【０００３】
高次変調方式では、複数のビットｂ１・・・ｂｉ・・・ｂｎ（一般にｎ＞２）が１つのシンボルにマッピングされる。この複数のビットは、バイナリワード（又はビットのベクトル）ｂ１・・・ｂｉ・・・ｂｎとして表現される。このワード又はベクトルの各値には、ある変調状態が割り当てられる。この割当は、ビットからシンボルへの「マッピング」と呼ばれる。次数ｉは、このワード又はベクトルにおけるビット（ディジット）の位置を指すものであるため、「ビット位置」と呼ばれる。
【０００４】
送信チェーン（チャネル）におけるノイズや様々な歪みにより、ビットｂ１〜ｂｉ−１及びｂｉ＋１〜ｂｎの規定値について、送信チェーン（チャネル）が、マッピング部及び変調部に入力されたビットｂｉの値「０」を、復調部から出力される値「１」に誤って変更する一定の確率がある。したがって、「１」を「０」に変える確率があり、これは第１の確率と同等であり得る。「０」と「１」とについて、また、その他のビットの値の全ての組合せについての確率を平均化することにより、送信チェーンに関するビットｂｉの誤り率が得られる。
【０００５】
以下、ビット位置に関する「高信頼性」なる語は「低誤り率」と同等であるものと考えられ、ビット位置に関する「低信頼性」なる語は「高誤り率」と同等であるものと考えられる。大抵の場合、信頼性は、誤り率に反比例するものと考えられる。変調方式におけるビット位置の信頼性及び誤り率の詳細な検討については、非特許文献４を参照されたい。
【０００６】
変調方式及びワードからシンボルへの適用されるマッピングに依存して、異なるビット位置が、同様又は同等の誤り率若しくは著しく異なる誤り率を有し得る。
【０００７】
図１は、ＡＭＣが適用されるときの、簡略化された典型的な物理層（ＰＨＹ）送信器処理チェーンを示す。ＣＲＣビットを含むＫ個の情報ビットはチャネル符号化器１０１（例えば、ターボ符号化、畳み込み符号化、ＬＤＰＣ符号化等）に供給され、チャネル符号化器１０１は、情報ビット系列を典型的にはブロック毎にＮビット系列（典型的にはＮ＞Ｋ）に符号化する。符号化器のタイプ及びレートは、固定でも、ＡＭＣ制御ユニット１０２に制御されるものでもよい。符号化器は、符号化レートｒＥＣ＝Ｋ／Ｎにて符号化された「原（original）」ビットの系列を生成する。符号化器の出力は、レートマッチングブロック１０３に供給され、レートマッチングブロック１０３は、Ｌ個の「送信」ビットを出力する。これは、ＡＭＣ制御１０２に従って（例えばチャネル推定に基づいて）符号化レートｒＥＣをｒＲＭ＝Ｋ／Ｌに調整する。レートマッチングは、典型的には、パンクチャリング及びレピティションを実行する。すなわち、Ｌ＜Ｎであれば、ビットがパンクチャリングされ、Ｌ＞Ｎであれば、ビットがレピティションされる。しかしながら、パンクチャリング及びレピティションは、同時に適用されることもある。すなわち、幾つかのビットがパンクチャリングされ幾つかのビットがレピティションされる。この場合、Ｌ＜Ｎのときは、パンクチャリングレートはレピティションレートよりも大きく、Ｌ＞Ｎのときは、パンクチャリングレートはレピティションレートより小さい。
【０００８】
下記説明の文脈では、レピティションが、反対方向の送信チャネルを介して受信器によりフィードバックされる受信データ品質についての情報をベースとするＡＲＱ（自動再送要求）ではなく、レートマッチング目的でのレピティションが考慮されることに注意すべきである。すなわち、ここで考慮するレピティションは、原送信と同一の送信試行において発生し、大抵の場合は、同一のデータブロックでさえある。
【０００９】
さらに、ビットは、同時にパンクチャリングとレピティションとを施されない。つまり、パンクチャリングされたビットは全く送信されず、よってレピティションもされない。
【００１０】
レートマッチング１０３の出力は、通常はその後にインタリーブされる。ここで使用されるインタリーバのタイプ又はインタリーバパラメータも、ＡＭＣ制御ユニットにより制御され得る。インタリーバ１０４の出力はその後、変調器（マッピング部）１０５に供給され、変調器１０５は、ビットを変調シンボルにマッピングする。変調方式はＡＭＣ制御により制御される。すなわち、選択された多値変調方式（例えば、ＱＰＳＫ、８ＰＳＫ、１６ＱＡＭ、６４ＱＡＭ）は、規定のマッピング及び信号コンスタレーションに従ってＬ／Ｍ変調シンボルを生成する。
【００１１】
以下、従来技術を、（上で引用した３ＧＰＰ  ＴＳ２５．２１２からの）図２に示す現在の３ＧＰＰ  ＨＳＤＰＡ  ＰＨＹ処理チェーンの実施に関して説明する。簡略化目的で、重要なブロックのみ示す。ＨＳＤＰＡのレート１／３ターボ符号化器２０１から出力された原ビットのストリームは、３ビットストリーム（システマチックビット、パリティ１ビット及びパリティ２ビット）毎にレートマッチングブロック２０３に供給される。レートマッチングは、ＡＭＣ制御ユニットに従って符号レートを適合化し、これは、レートマッチングにより生成すべき出力送信ビット数を規定する。レートマッチングブロック２０３は、その入力ビットのパンクチャリング及び／又はレピティションを、３ＧＰＰ  ＴＳ２５．２１２に定められたレートマッチングアルゴリズムに従って行う。ＨＳＤＰＡにおけるレートマッチングは、実用的なハイブリッドＡＲＱ（自動再送要求）を可能とするために、２段階で実行される（３ＧＰＰ  ＴＳ２５．２１２の図１７を参照）。ビット収集ブロック２０６では、レートマッチングブロックの３つの出力ストリームが、Ｎｒｏｗ＝４列（１６ＱＡＭの場合）又はＮｒｏｗ＝２列（ＱＰＳＫの場合）のいずれかと、対応する数の行とを有する行列に書き込まれる。下記説明は、１６ＱＡＭでの動作に焦点を当てる。異なるレートｒＲＭについて図３及び図４に示すように、第１列目が、好ましくはシステマチックビットで埋められ、他の空間がパリティ１ビットとパリティ２ビットとで交互に埋められるように、行列が書き込まれる（３ＧＰＰ  ＴＳ２５．２１２においてセクション４．５．４．４に詳細が見られる）。図示されたパンクチャリングパターン、レピティションパターン及びブロックサイズは、ＨＳＤＰＡ規格に正確には適合していないかもしれないが、全体概念を例示するために用いられる。そして、列１、２からの送信ビットと列３、４からの送信ビットとが別々に、インタリーバ２０４ａ、２０４ｂにおいてインタリーブされ、変調器２０５に供給される。インタリーバ１（２０４ａ）からの送信ビットは、ビット位置ｉ１及びｑ１にマッピングされ、インタリーバ２（２０４ｂ）からの送信ビットは１６ＱＡＭ信号コンスタレーションのビット位置ｉ２及びｑ２にマッピングされる（高信頼性位置にマッピングされるｉ１及びｑ１と、低信頼性位置にマッピングされるｉ２及びｑ２とについてのマッピング例については図５を参照）。
【００１２】
説明したＨＳＤＰＡの実施は、システマチックビットが好ましくはビットｉ１及びｑ１にマッピングされることを保証する。図５に示す１６ＱＡＭマッピングが使用されると仮定すると、これは、原システマチックビットの送信ビットが１６ＱＡＭの高信頼性位置にマッピングされることを保証する。
【００１３】
特許文献１は、ＳＭＰ（優先度に基づくシンボルマッピング方法）技術に関連し、ＳＭＰ技術は、（上記の）３ＧＰＰ  ＨＳＤＰＡに採用されている。ＳＭＰは、ビット系列を、異なる優先度を有する２つのビット系列に分割する。高優先度のビットストリームは、Ｍ−ＱＡＭ（又はＭ−ＰＳＫ）の高信頼性位置にマッピングされ、低優先度のビットストリームは、低信頼性位置にマッピングされる。ビットの優先度は、ビットの内容、すなわち、それがシステマチックビット（高優先度）であるかパリティビット（低優先度）であるかに依存する。ビットは、列毎に行列（バッファ）に書き込まれ、行毎に読み出される。
【００１４】
従来技術は、レピティションされたビットを高次変調方式にマッピングするときのビット信頼性の変動、すなわち、ビットがレピティションされて送信される（つまり、同一の原ビットについての幾つかの送信ビットが送信される）ときに、その信頼性が、レピティションされずに送信されたビットに対して増大する、ということについて考慮していない。例えば図２に示すＨＳＤＰＡ実施によれば、１６ＱＡＭ（ｒＲＭ＝０．２５）の例では、レピティションされたビットが、１６ＱＡＭビット位置のいずれかに（ランダムに）マッピングされる（図４においてハッチングされた背景を有するレピティションされたビット）。ここで、ビットが（好ましくは）高信頼性位置（ｉ１及びｑ１）にマッピングされるか低信頼性位置（ｉ２及びｑ２）にマッピングされるかは、その内容に、すなわち、ビットがシステマチックビットかパリティビットかに依存する。
【００１５】
従来技術の方式は、レピティションされたビットの軟合成後に（全ビットの）ビット信頼性が顕著な変動を呈するため、符号化において不都合を生じる。
【特許文献１】米国特許出願公開第２００３／０１２０９９５号明細書
【非特許文献１】3GPP TS 25.308; "High Speed Downlink Packet Access (HSDPA); Overall description; Stage 2", v.5.3.0, December 2002
【非特許文献２】A. Burr, "Modulation and Coding for Wireless Communications", Pearson Education, Prentice Hall, ISBN 0 201 39857 5, 2001
【非特許文献３】3GPP TS 212; "Multiplexing and Channel Coding (FDD)", v.5.3.0, December 2002
【非特許文献４】Ch. Wengerter, A. Golitschek Edler von Elbwart, E. Seidel, G. Velev, M.P. Schmitt, "Advanced hybrid ARQ technique employing a signal constellation rearrangement", IEEE VTC 2002 Fall, vol.4, pp.2002-2006, 2002
【発明の開示】
【００１６】
本発明の目的は、送信ビットの信頼性を制御する方法を提供することである。
【００１７】
本発明の他の目的は、送信ビットの内容とは無関係に、より均一に分布されたビット信頼性を提供することである。
【００１８】
本発明のさらに他の目的は、共通に使用される符号化方式の符号化パフォーマンスを向上させることである。
【００１９】
これらの目的は、請求項１記載の方法、請求項１４記載のコンピュータ読取可能媒体、請求項１５記載の送信器、請求項１８記載の基地局、請求項１９記載の移動局及び請求項２０記載の移動通信システムにより達成される。
【００２０】
本発明によれば、ビットがマッピングされるビット位置は、マッピングされたビットのレピティションについての決定と、ビット位置の信頼性とに依存する。これにより、受信器での（軟）合成後のビット信頼性制御が可能となり、これは、合成ビットの信頼性のより均一な分布、ひいては符号化パフォーマンス向上をもたらし得る。
【００２１】
本発明の一態様によれば、複数の送信ビットがシンボルのビット位置にマッピングされ送信が前記ビット位置のうち少なくとも２つについて異なる誤り率を有する高次変調方式を用いるディジタルデータ送信方法は、ａ）レピティションのために原ビットのデータストリームからビットを選択し、選択されたビットをレピティションして、送信ビットのストリームを得るステップと、ｂ）ビットをビット位置の誤り率に応じ且つステップａ）の選択結果に応じて選択されたビット位置に優先的にマッピングするように、送信ビットを変調シンボルにマッピングするステップと、ｃ）マッピングされたビットに従ってキャリアを変調するステップと、を有する。
【００２２】
本発明の他の態様によれば、ディジタルデータ送信器のプロセッサに実行されると、コンピュータ読取可能データ格納媒体は、複数の送信ビットがシンボルのビット位置にマッピングされ送信が前記ビット位置のうち少なくとも２つについて異なる誤り率を有する高次変調方式を用いるディジタルデータ送信方法であって、ａ）レピティションのために原ビットのデータストリームからビットを選択し、選択されたビットをレピティションして、送信ビットのストリームを得るステップと、ｂ）ビットをビット位置の誤り率に応じ且つステップａ）の選択結果に応じて選択されたビット位置に優先的にマッピングするように、送信ビットを変調シンボルにマッピングするステップと、ｃ）マッピングされたビットに従ってキャリアを変調するステップと、を有する方法を、当該送信器に実行させる指示を、記憶する。
【００２３】
本発明の他の態様によれば、複数の送信ビットがシンボルのビット位置にマッピングされ送信が前記ビット位置のうち少なくとも２つについて異なる誤り率を有する高次変調方式を用いるディジタルデータ送信の送信器は、レピティションのために原ビットのデータストリームからビットを選択し、選択されたビットをレピティションして、送信ビットのストリームを得るレートマッチング手段と、ビットがビット位置の誤り率に応じ且つ前記レートマッチング手段の選択結果に応じて選択されたビット位置にマッピングされるよう送信ビットを変調シンボルにマッピングするマッピング手段と、マッピングされたビットに従ってキャリアを変調する手段と、を有する。
【００２４】
本発明のさらに他の態様によれば、複数の送信ビットがシンボルのビット位置にマッピングされ送信が前記ビット位置のうち少なくとも２つについて異なる優先度を有する高次変調方式を用いるディジタルデータ送信の送信器を少なくとも１つ含む移動通信システムの基地局は、レピティションのために原ビットのデータストリームからビットを選択し、選択されたビットをレピティションして、送信ビットのストリームを得るレートマッチング手段と、ビットがビット位置の誤り率に応じ且つ前記レートマッチング手段の選択結果に応じて選択されたビット位置にマッピングされるよう送信ビットを変調シンボルにマッピングするマッピング手段と、マッピングされたビットに従ってキャリアを変調する手段と、を有する。
【００２５】
本発明のさらに他の態様によれば、複数の送信ビットがシンボルのビット位置にマッピングされ送信が前記ビット位置のうち少なくとも２つについて異なる誤り率を有する高次変調方式を用いるディジタルデータ送信の送信器を少なくとも１つ含む移動通信システムの移動局は、レピティションのために原ビットのデータストリームからビットを選択し、選択されたビットをレピティションして、送信ビットのストリームを得るレートマッチング手段と、ビットがビット位置の誤り率に応じ且つ前記レートマッチング手段の選択結果に応じて選択されたビット位置にマッピングされるよう送信ビットを変調シンボルにマッピングするマッピング手段と、マッピングされたビットに従ってキャリアを変調する手段と、を有する。
【００２６】
本発明のさらに他の態様によれば、移動通信システムは、前述の２つの態様に係る少なくとも１つの基地局及び／又は少なくとも１つの移動局を有する。
【発明を実施するための最良の形態】
【００２７】
添付の図面が本発明の原理説明のために組み込まれ、本明細書の一部を構成する。図面は、本発明が如何にしてなされ使用されるかについて図示し説明した例にのみ本発明を限定するものと解されるべきではない。さらなる特徴及び利点は、添付の図面に図示された本発明についての下記のより詳細な説明から明らかとなる。
【００２８】
本発明の例示的な実施の形態を、図面を参照して説明する。同様の要素及び構成は同様の参照番号により示されている。
【００２９】
高信頼性（低誤り率）を有する位置を示すｉ１及びｑ１と、低信頼性（高誤り率）を有する位置を示すｉ２及びｑ２とを有する図５に係るマッピングを前提として、ｒＲＭ＝０．２５の１６ＱＡＭについて先に紹介したＨＳＤＰＡの例を用いて、本発明を詳細に説明する。
【００３０】
開示される概念は、レピティションされた原ビット（図４でハッチングされている）の送信ビットが、例えば図６（又はインタリーブ付きの図７）に示すように、低信頼性を有する１６ＱＡＭ位置（４ビット中２つ）に好ましくはマッピングされなければならないことを要する。平均的には、高信頼性を有する位置にマッピングされた送信ビットは、低信頼性を有する位置にマッピングされたものと比較してＬＬＲ（対数尤度比）において約２倍の大きさを有するので、これは、原ビットのビット信頼性を等しくする。すなわち、低信頼性を有する位置にマッピングされたレピティションされたビットのオリジナルとレピティションとは、受信器にて軟合成（例えばＬＬＲ加算）され、それらの原ビットの信頼性は、高信頼性を有する位置にマッピングされたレピティションされていない原ビットのそれに等しくされる。これにより、ビット信頼性のより均一な分布が得られ、よって、大抵の符号化方式（例えばターボ符号化）の符号化パフォーマンスの向上が得られる。
【００３１】
上記開示され図６及び図７に示す特性を有するマッピングを達成するために、幾つかの実施オプションがあり得る。以下、幾つかの実施例を提供する。
【００３２】
例１（図８）
符号化器８０１から出力された原ビットはレートマッチングブロック８０３に供給される。レートマッチングブロック８０３は、レピティションされていない原ビットの送信ビットとレピティションされた原ビットの送信ビットとを別々に出力する。ここで、ＬＳは、一度だけ送信されるレピティションされていない原ビットに属する送信ビットの数を示し、ＬＲは、レピティションされた原ビット（オリジナルと（少なくとも１つの）レピティション）に属する送信ビットの数を示す。２つの送信ビットストリームは、ビット収集ブロック８０６に供給される。これは、以下のいずれかに従って実施され得る。
【００３３】
○  ビットは行列に書き込まれる。行列は、１つの変調シンボルにマッピングされるビットと同数の列を含み、各列が変調シンボルにおける１つのビット位置を表す（すなわち、２Ｍ個の状態を有する変調方式の場合はＭ列（例えば、１６ＱＡＭには４列、６４ＱＡＭには６列、８ＰＳＫには３列））。レピティションされたビット（オリジナルとレピティション）は、最低信頼性を有するビット位置を表す列に優先的に書き込まれる（列３、４。１６ＱＡＭの図６又は図７を参照）。或いは、列と行との意味を入れ替えてもよい。
○  ビットはビットのグループを含むベクトルに書き込まれる。各グループは、１つの変調シンボルにマッピングされるビットと同数のビットを含む。グループにおける各ビットは、変調シンボルにおける１つのビット位置を表す（１６ＱＡＭにはグループあたり４ビット、６４ＱＡＭにはグループあたり６ビット、８ＰＳＫにはグループあたり３ビット）。レピティションされたビットは、最低信頼性を有するビット位置を表すグループ内のビットに優先的にマッピングされる。
【００３４】
ビット収集ブロックの出力は、インタリーバ８０４（任意的）に供給され得る。この場合、インタリーバは、意図されたマッピングに関連するビット位置を乱さないように実施される必要がある。例えば、行列に基づくビット収集の場合（ベクトルに基づくビット収集に同様に該当する）、インタリーバ８０４は、下記に従って動作し得る。
【００３５】
○  同列からのビットのみが相互にインタリーブされる、又は
○  同一の（又は同様の）信頼性を有するビット位置を表す列からのビットのみが相互にインタリーブされる（例えば、１６ＱＡＭについては図６及び図７からのインタリーブを参照）、又は
○  インタリーブが行毎に行われる（変調シンボルインタリーブと同様）。
【００３６】
インタリーバ８０４（又はビット収集ブロック）の出力は、変調器８０５に供給され、列（グループ内のビット）は適切なビット位置にマッピングされる。すなわち、行／グループのビットが１つの変調シンボルを形成する。
【００３７】
ＡＭＣ制御８０２は、符号化器８０１から出力される全ビットがレートマッチングユニット８０３により何らかの処理を受けるように、また、マッピング部／変調器８０５から出力される全シンボルが適切に変調されるように、少なくともブロック８０３〜８０６を制御する。任意には、ＡＭＣ制御８０２は、符号化レート及び／又は符号化方式を動的に調整することもできる。
【００３８】
例２（図９及び図１０）
ビット収集ブロック９０６／１００６は、同一の（又は同様の）信頼性を有するビット位置を表す列を、別々のインタリーバ９０４ａ、ｂ及び１００４ａ〜ｃにそれぞれ供給する。図９は、１６ＱＡＭの例を示し、図１０は、６４ＱＡＭの例を示す。符号化器９０１、１１０１、レートマッチングユニット９０３、１００３、マッピング部／変調器９０５／１００５及びＡＭＣ制御９０２、１００２は、上述の原理に従って動作する。
【００３９】
例３（図１１及び図１２）
レートマッチングブロック１１０３、１２０３は、Ｌ−Ｒ個の原ビットをビット収集及びレピティションブロック１１０６、１２０６に供給し、ビット収集及びレピティションブロック１１０６、１２０６は、Ｌ−Ｒ個の原ビットのうちＲ個をレピティションして合計Ｌ個の出力送信ビットを生成する。Ｒ個のビットのレピティションは、行列／ベクトル要素からのビットを空の行列／ベクトルの要素にコピーすることにより実施され得る（行列／ベクトルがＬ個の要素を有すると仮定する）。図６に示す１６ＱＡＭの例を考慮すると、行列の列１〜３のみが、レートマッチングブロックからのビットにより書き込まれ、ビット収集及びレピティションブロックは、列３から列４の要素をコピーすることとなる。任意的なインタリーバ１１０４及び別のインタリーバ１２０４ａ、ｂは例１、２に従って規定される必要があることに留意されたい。
【００４０】
図６は、レピティションされた原ビットに属する送信ビット（オリジナルとレピティション）の割合は、低信頼性を有する利用可能な位置の数と等しく、すなわち５０％である。レピティションされた原ビットの送信ビットは、低信頼性を有する位置に優先的にマッピングされる。すなわち、レピティションされていないビットの送信ビットは、高信頼性を有するビット位置に優先的にマッピングされる必要がある。全シンボルの全ビットを埋めるのを可能にし、全ビットを送信するのを可能にするために、次の方法が適用され得る。
【００４１】
○  レピティションされた原ビットの送信ビット数が低信頼性（すなわち高誤り率）を有する利用可能な位置よりも少ない場合には、低信頼性を有する残りの位置が、パディングされるか、レピティションされていない原ビットの送信ビットで埋められる。
○  レピティションされた原ビットの送信ビット数が低信頼性を有する利用可能な位置よりも多い場合には、レピティションされた原ビットのうち残りの送信ビットが、高信頼性を有する位置にマッピングされる必要がある。
【００４２】
全ての高次変調方式が異なるビット位置の異なる信頼性という固有の特性を有するため、開示した概念は、如何なる高次変調方式（２つよりも多くの送信ビットが１つの変調シンボルにマッピングされる）にも適用可能である。例えば、
○  ８ＰＳＫ：２つのビット位置は高信頼性を有し、１つのビット位置は低信頼性を有する
○  ６４ＱＡＭ：２つのビット位置は高信頼性を有し、２つのビット位置は中信頼性を有し、２つのビット位置は低信頼性を有する。
【００４３】
２つよりも多くの異なるビット信頼性が存在する場合には、レピティションされた原ビットの送信ビットは、先ず最低信頼性のビット位置に優先的にマッピングされ、そして２番目に最低信頼性の位置にマッピングされる、等である。
【００４４】
上記説明において、レピティションは、ビットが１度レピティションされるよう規定されている。一般に、ビットは、数回レピティションされる。マッピング規則は以下のように規定される必要がある。増加する数のレピティションでは、送信ビットは、増加する優先度で、低信頼性を有する位置にマッピングされる必要がある。すなわち、最も頻繁にレピティションされた原ビットに属する送信ビットは、最低信頼性位置にマッピングされる必要がある、等である。したがって、例１及び例２の実施に従って、レートマッチングブロックは、図１３に規定するように、異なるレベルのレピティション、そして異なるレベルの所要信頼性のために、幾つかの出力を有し得る。レピティションされない原ビットについてのレピティション数はゼロであることに留意されたい。
【００４５】
例えば、レピティションされていない原ビットと、１回レピティションされた原ビットと、２回レピティションされた原ビットとがあり、変調方式が３つの異なるレベルの信頼性を有するビット位置を提供する場合には、レピティションされていない（すなわち１回だけ送信される）原ビットの送信ビットは、最高信頼性（すなわち最低誤り率）を有するグループ内のビット位置に優先的にマッピングされる必要がある。２回レピティションされた（３回送信される）原ビットの送信ビットは、最低信頼性を有するグループのビット位置に優先的にマッピングされる必要があり、１回レピティションされた（すなわち２回送信される）原ビットの送信ビットは、その後に空いたまま残っているビット位置にマッピングされる必要がある。全送信ビットがマッピングされ、全ビット位置が埋められた場合には、各ビットの送信（レピティション）数と、それが割り当てられるビット位置の信頼性との間に単一な関係が維持される限り、マッピングの時間的順序に、相違は生じない。例えば、全ビット位置に、最高数の送信から始まり減少する数の送信を有する送信ビットをマッピングする等により、最低信頼性のものから始まり増加する信頼性を有する全ビット位置が、埋められ得る。この方式は、より多くの信頼性及びレピティションのそれぞれについて、明らかに拡張され得る。
【００４６】
信頼性のレベルよりも多くのレベルのレピティションがある場合には、この方法は、レピティションされていない原ビットの送信ビットを最高信頼性位置にマッピングし、最多レピティションの原ビットの送信ビットを最低信頼性位置にマッピングすることにより、開始し得る。
【００４７】
残りの送信ビットは、レピティション数の減少する順番に、上昇する信頼性（すなわち低下する誤り率）を有するビット位置にマッピングされる必要がある。例えば、レピティションされていない原ビットと、１回レピティションされた原ビットと、２回レピティションされた原ビットとがあり、変調方式が、２つの異なるレベルの信頼性を有するビット位置を提供する場合には、レピティションされていない原ビットの送信ビットが、先ず最高信頼性を有するビット位置にマッピングされる必要がある。そして、２回レピティションされた原ビットの送信ビットが、より低い信頼性を有するビット位置にマッピングされる必要がある。そして、１回レピティションされた原ビットの送信ビットが、依然として利用可能な（すなわち空いている）残りのビット位置に、それらの信頼性とは無関係にマッピングされる必要がある。ここでも、前段落において説明したようなマッピングの時間的順序における代替法があり得る。
【００４８】
レートマッチングレートｒＲＭは、レートマッチングブロックにおいて用いられるレピティションレートとパンクチャリングレートとに依存する。レピティションされたビットからの送信ビット（原ビット及びそのコピー）の数が、選択された変調方式により規定された低信頼性ビット位置の数に過不足なく一致するように、それらのレートを適合化する制御ユニットがあってもよい。例えば、
○  １６ＱＡＭについての図６及び図７のように、ビット位置の５０％は低信頼性を有する。したがって、レピティションされた原ビットからの送信ビットの、全送信ビットの総数に対する比（割合）は５０％となる必要がある。
○  ８ＰＳＫの場合は、低信頼性を有するビット位置の割合は３３％である。したがって、レピティションされた原ビットからの送信ビットの、全送信ビットの総数に対する比（割合）は３３％となる必要がある。
○  ６４ＱＡＭの場合は、３つのレベルの信頼性（高、中、低）がある。各信頼性の位置の割合は３３％である。したがって、レピティションされた原ビットからの送信ビットの割合は、３３％（最低信頼性を有する位置にマッピングされる）又は６６％（低信頼性及び中信頼性を有する位置にマッピングされる）のいずれかである。
【００４９】
レート適合化についてのこの制御は、ＡＭＣ制御ユニット８０２、９０２、１００２、１１０２、１２０２において実施され得る。
【００５０】
ユニット８０１〜８０６、９０１〜９０３、９０４ａ、ｂ、９０５〜９０６、１００１〜１００３、１００ａ〜ｃ、１００５〜１００６、１１０１〜１１０６、１２０１〜１２０３、１２０４ａ〜ｄ及び１２０５〜１２０６は、ディジタルデータ通信の送信器の一部である。それらは、専用ハードウェア又はディジタルシグナルプロセッサにおいて実施され得る。この場合、プロセッサは、ＲＯＭ（read-only memory）、電気的消去可能なＲＯＭ又はフラッシュメモリのようなコンピュータ読取可能媒体から読み出された指示を実行することにより、ここで開示された方法を実行する。これらの指示はさらに、磁気ディスク、光ディスク又は磁気テープに記憶され、使用前に装置にダウンロードされてもよい。また、ハードウェアとソフトウェアとの混合の実施の形態もあり得る。
【００５１】
上記のユニットを有する送信器１４０５は、図１４に示す基地局１４００の一部となり得る。このような基地局は、適切な受信器１４０４と、データ処理ユニット１４０１、１４０２と、コアネットワークインタフェース１４０３と、をさらに有し得る。
【００５２】
基地局１４００の対応物は、図１５に示す移動局１５００であり得る。送信器１５１１及び受信器１５１０の他に、移動局は、アンテナ１５０１と、アンテナスイッチ１５０２と、データ処理ユニット１５０３と、制御部１５０４と、をさらに有し得る。
【００５３】
移動局１５００は、携帯電話若しくは携帯型コンピュータ、ＰＤＡ、車両、販売機等に組み込まれるモジュールであり得る。携帯電話は、混合信号ユニット１５０５と、キーボード１５０６、ディスプレイ１５０７、スピーカ１５０８及びマイク１５０９を含むユーザインタフェースと、をさらに有し得る。
【００５４】
図１６は、上記方法の基本ステップを要約する。ＣＲＣビットを含む情報ビットが送信されることを前提とする。
【００５５】
Ｓ１６０１では、これらの情報ビット及びＣＲＣビットが、例えば従来のターボ符号化器であり得る符号化器において符号化される。それにより得られたデータストリームは、ここでは「原」ビットと呼ばれる、レピティションされていない符号化ビットを含む。ステップＳ１６０２では、これらの原ビットの一部が、レピティションのために選択されレピティションされる。これは、所要データレート及び／又はレピティションされたビットとレピティションされていないビットとの間の所要データレートを得るよう制御され得る。このレートマッチングステップの結果は、送信ビットのストリームである。１つの代替法では、レートマッチングステップは、原ビットのうち選択された部分のパンクチャリングを含み得る。
【００５６】
任意のステップＳ１６０３では、送信ビットが、ノイズバーストに対する免疫を向上させるようインタリーブされ得る。しかしながら、このインタリーブは、別々のインタリーバを使用することにより、或いは、ある位置がレピティションされていない原ビットの送信ビットに割り当てられ且つ他の位置がレピティションされている原ビットの送信ビットに割り当てられるワード形状のビットを処理することにより、ビットを、レピティションされている原ビットの送信ビットと、レピティションされていない原ビットの送信ビットとに分割するのを維持しなければならない。
【００５７】
ステップＳ１６０４では、送信ビットは変調シンボルにマッピングされる。各ビットは、ステップＳ１６０２の選択結果（すなわち、送信数又は当該原ビットのレピティションカウント）に応じて、また、ビット位置の信頼性（すなわち誤り率の逆）に応じて、ビット位置にマッピングされる。代替法では、マッピングは、どのくらいの頻度で現ビットが送信されるかに依存し、換言すれば、幾つの送信ビットが同一の原ビットに対応するかに依存する。この代替法では、全送信ビットは、マッピング決定のための異なるカテゴリに分割される。ここで、レピティションされていない（１回だけ送信される）原ビットに対応する全送信ビットは１グループに属することとなり、１回レピティションされている（２回送信される）原ビットに属する各ビットは第２グループに属することとなるであろう、等である。すなわち、送信ビットは、当該原ビットのレピティション総数に従ってグループに割り当てられるであろう。他の代替法では、マッピングは、レピティションカウント、すなわち、同一の原ビットに対応する幾つの送信ビットが既に送信されているかに依存し得る。各原ビットの各第１送信ビットは、第１グループに属することとなり、現ビットの第１レピティションである全送信ビットは、第２グループに属することとなるであろう、等である。すなわち、送信ビットは、当該原ビットの前回送信の数に従って、グループに割り当てられるであろう。そして、いずれの場合も、ビット位置への送信ビットのマッピングは、それが属するグループに基づいて、またビット位置の信頼性に基づいて、決定される。かかる方法の利点は、レピティションが当該原ビットの第１送信ビットが既に送信された後でさえ決定され得ることであろう。
【００５８】
上記段落に記載された第１代替法に関してここで説明している全ての変形例は、予定の適合化を実行しつつ、明らかに第２代替法にも適用し得るものである。
【００５９】
様々な規則が適用可能である。例えば、マッピングは、１つの原ビットのレピティション数と、対応する送信ビットがマッピングされるビット位置の信頼性との間の単調な関数に従って、行われ得る。さらに、１つの原ビットの送信ビットの軟合成後にビット信頼性のより均一な分布を達成するために、増加する数の送信のビットは、低下する信頼性を有するビット位置にマッピングされ得る。
【００６０】
ステップＳ１６０５では、キャリアは、マッピングされた送信ビット、に従って変調される。すなわち、マッピングされた変調ビットの組合せに応じた変調状態が生成される。生成されたシンボルは、ステップＳ１６０６で送信される。ステップＳ１６０１〜Ｓ１６０６は、送信のためにデータが得られる限り、連続的なデータフローとして繰り返され得る。
【００６１】
上記方法の例を、図５、図１７及び図１８を参照しながら、８ＰＳＫ、１６ＱＡＭ及び６４ＱＡＭについて提供する。
【００６２】
図１７は、グレイマッピングを含む８ＰＳＫの変調状態を示す。しかし、本発明は、グレイマッピングに限定されるものではなく、少なくとも２つの異なるレベルの信頼性が全ビット位置間に存在する全てのマッピングに適用可能である。ビットｂ１及びｂ２はそれぞれ、半分の平面では「０」であり、他の半分の平面では「１」である。例えば、「０１０」状態を「０００」状態に、或いは「１１１」状態を「０１１」状態に変えるには、高ノイズレベルが必要となるため、これにより良好な信頼性が得られる。しかし、ビットｂ３は、状態が隣接状態に変えられるときに常時トグルする。したがって、ビットｂ３の信頼性は、ビットｂ１及びｂ２のそれ（同等である）よりも低い。図８のようなシステムは、レートマッチング手段８０３が、レピティションのために、入力された原符号化ビットの一部分を選択してそれらをレピティションするのを前提とする。すなわち、送信ビットの第１グループは、レピティションされていない原ビット（各原ビットは１回だけ送信される）の送信ビットを含み、ビットの第２グループは、レピティションされている原ビット（各原ビットは２回送信される）を含む。レピティションされていないビットの誤り率を、レピティションされているビットのそれに近似することが望ましい場合は（受信器において軟合成を前提とする）、マッピング部／変調器８０５は、レピティションされているビットをビット位置ｂ３に、１回だけ送信されるレピティションされていないビットをビット位置ｂ１及びｂ２に、優先的にマッピングする。この文脈において「優先的に」は、「このようなビット位置が使用可能である限り」を意味する。例えば、原ビットの半分がレピティションのために選択された場合、送信ビットの第２グループは、第１グループの２倍の数の送信ビットを含むこととなる。しかしながら、ビット位置の１／３のみが低信頼性を有する。したがって、好ましくは、この方法は、１回だけ送信される全ビット中の１／３を高信頼性ビット位置に（例えばｂ１に（或いはｂ２に、又は一部をｂ１で一部をｂ２に））にマッピングする。そして、レピティションされたビットは、低信頼性を有するｂ３にマッピングされることとなる。２回送信されるビットの残りの半分は、依然として空いているがより高い信頼性を有するｂ２にマッピングされる。
【００６３】
１つの有利な代替法では、レピティションのためのビット選択は、両グループの送信ビットの比が、両グループの利用可能なビット位置の比に合致するように制御される。この場合、各シンボルは、ｎ＝３個の送信シンボルを送信する。すなわち、ｎ＝３個の異なるビット位置が使用可能である。これらのビット位置は、高信頼性（低誤り率）を有するｎ−ｍ＝２個のビット位置の第１グループと、比較的低信頼性（より高い誤り率）を有するｍ＝１個のビット位置の第２「グループ」とに、分類される。各レピティションされている原ビットは、２つの送信ビットを生成する。レピティションのためにｋ個の原ビットからｊ個を選択すると、２・ｊ＋（ｋ−ｊ）＝ｋ＋ｊ個の送信ビットが得られる。より高い信頼性を要する送信ビットに対する、より低い信頼性を要する送信ビットの比は、２・ｊ／（ｋ−ｊ）である。この比は、高信頼性を有する使用可能なビット位置に対する、低信頼性を有する使用可能なビット位置の比、ｍ／（ｎ−ｍ）に等しくなるように最適化される必要がある。この例では、ｍ／（ｎ−ｍ）＝１／２である。したがって、２・ｊ＋（ｋ−ｊ）は、１／２に等しくされる必要がある。これは、レピティションのために５つ毎に原ビットを選択することにより達成され得る。
【００６４】
さらにｋ個のビットのうちｈ個がレートマッチングブロックにおいてパンクチャリングされる場合には、レピティションされていない原ビットに属する送信ビットの数は、ｋ−ｊ−ｈである。したがって、この場合、２・ｊ＋（ｋ−ｊ−ｈ）は、ｍ／（ｎ−ｍ）に等しくされる必要がある。
【００６５】
グレイマッピングを含む６４ＱＡＭは図１８に示される。この方式は、３レベルの信頼性を有する。最高信頼性を有するグループは、ｉ１及びｑ１を有する。ｉ２及びｑ２は中信頼性を有し、ｉ３及びｑ３は最低信頼性を有する。ここで、全ての原ビットの２／３が１回レピティションされ１／３がレピティションされていないと仮定する。したがって、全送信ビットの４／５が、２回送信される原ビットに属し、１／５が、１回だけ送信され、より高い信頼性を要する。これらは先ず、ビット位置ｉ１及びｑ１にマッピングされるであろう。そして、２回送信されるビットは、最低信頼性を有するｉ３及びｑ３に先ずマッピングされるであろう。さらにレピティションされているビットが残る場合、それらは、ビット位置ｉ２及びｑ２にマッピングされるであろう。中信頼性及び低信頼性を有するビット位置は全ビット位置の２／３であり、レピティションされている送信ビットは全送信ビットの４／５であるため、それらのうちの幾つかは、ビット位置ｉ１及び／又はｑ１にさえマッピングされ、残りの使用可能なビット位置を埋めるであろう。
【００６６】
同じ原理は、レピティションされているビットの数が、レピティションされていないビットの数よりも少ない場合に適用される。
【００６７】
ここでもまた、レピティション及び／又はパンクチャリングが制御され、送信ビットの２グループ中の１つがビット位置の２グループに、そして送信ビットの他のグループがビット位置の第３グループに、完全にマッピングされるよう、１：２又は２：１のいずれかの、送信ビットのグループ間の比が得られる。
【００６８】
第３の例のために、図５の１６ＱＡＭに戻る。より高い信頼性を有するビット位置ｉ１及びｑ１と、より低い信頼性を有するビット位置ｉ２及びｑ２との２グループがある。３グループのビットが存在することを前提とする。第１グループはレピティションされず（すなわち１回送信）、第２グループは１回レピティションされ（２回送信）、第３グループは２回レピティションされる（３回送信）。原ビットの１／４がレピティションされず、１／２が１回レピティションされ、１／４が２回レピティションされる場合、送信ビット比（１回：２回：３回）は１：４：３である。この例では、第２の例におけるマッピング代替法の時間的順序が用いられることとなるが、最初の２つの例で説明した順序と同じ結果が得られる。先ず、全てのレピティションされていないビットが、最高信頼性ビット位置ｉ１及びｑ１にマッピングされる。そして、残りのｉ１及びｑ１ビット位置は２回送信されるビットで埋められる。それらはもっと多くあるため、それらは、ｉ２及びｑ２位置の全ても埋め、ｉ３及びｑ３位置の一部分さえも埋める。そして、残りのｉ３及びｑ３位置は、３回送信されるビットに使用される。全ビットがマッピングされ、全ビット位置が埋められることを条件として、この方法は、最も頻繁に送信されるビットを最低信頼性ビット位置にマッピングすることから始めても同一の結果をもたらす。如何なる場合でも、各ビットの送信数と、それらが割り当てられるビット位置の信頼性（或いはそれぞれの誤り率）との間の単調な関数が、得られる。
【００６９】
上記の様々な実施の形態は、送信ビットの内容とは無関係に、より均一に分布されたビット信頼性を提供し、これにより、共通にしようされる符号化方式の符号化パフォーマンスを向上させることができる。符号化パフォーマンス向上は、有利には、送信チャネルの最終スループット増大をもたらす。
【００７０】
レピティションされていないビットとレピティションされているビットとの比を、高信頼性を有するビット位置とより低い信頼性を有するビット位置との比に調整するよう、レピティションレートとパンクチャリングレートとを適合化するオプションは、高データレートを維持しつつビット信頼性のさらなる向上を提供する。
【００７１】
本発明を、本発明に従って構成された実施の形態に関して記載したが、上記教示を踏まえ、本発明の精神及び意図された範囲から逸脱することなく、添付された請求の範囲の範囲内で、本発明の様々な改変、変形及び改良がなされ得ることは、当業者には明らかである。さらに、当業者が精通していると思われる範囲は、ここに記載された発明を不必要に不明瞭にしないために、ここには記載されていない。したがって、本発明は、特定の例示的な実施の形態に限定されるものではなく、添付された請求の範囲によってのみ限定されると理解すべきである。
【図面の簡単な説明】
【００７２】
【図１】従来技術に係る簡略化された一般的な物理層送信器処理チェーンを示す。
【図２】従来技術に係る簡略化されたＨＳＤＰＡ送信器物理層処理チェーンを示す。
【図３】従来技術に係るパンクチャリング（ｒＲＭ＝０．５６２５）を伴う１６ＱＡＭのＨＳＤＰＡビット収集例を示す。
【図４】従来技術に係るレピティション（ｒＲＭ＝０．２５）を伴う１６ＱＡＭのＨＳＤＰＡビット収集例を示す。
【図５】高信頼性を有する位置にマッピングされたｉ１及びｑ１と、低信頼性を有する位置にマッピングされたｉ２及びｑ２とを有するグレイマッピングの１６ＱＡＭ信号コンスタレーションを示す。
【図６】レピティション（ｒＲＭ＝０．２５）を伴う１６ＱＡＭのビット収集に基づく行列の例を示す。
【図７】インタリーブを含むレピティション（ｒＲＭ＝０．２５）を伴う１６ＱＡＭのビット収集に基づく行列の例を示す。
【図８】第１の例に係る簡略化されたＨＳＤＰＡ風の物理層送信器チェーンを示す。
【図９】第２の例（１６ＱＡＭ）に係る他の簡略化されたＨＳＤＰＡ風の物理層送信器チェーンを示す。
【図１０】第３の例（６４ＱＡＭ）に係る他の簡略化されたＨＳＤＰＡ風の物理層送信器チェーンを示す。
【図１１】第３の例に係る簡略化された物理層送信器チェーンを示す。
【図１２】第３の例に係る他の簡略化されたＨＳＤＰＡ風の物理層送信器チェーンを示す。
【図１３】多様なレピティション係数のレートマッチングブロックを示す。
【図１４】基地局の例示的な構成を示す。
【図１５】移動局の例示的な構成を示す。
【図１６】説明した方法の基本ステップを示す。
【図１７】高信頼性を有する位置にマッピングされたｂ１及びｂ２と、低信頼性を有する位置にマッピングされたｂ３とを有するグレイマッピングの８ＰＳＫ信号コンスタレーションを示す。
【図１８】高信頼性を有する位置にマッピングされたｉ１及びｑ１と、中信頼性を有する位置にマッピングされたｉ２及びｑ２と、低信頼性を有する位置にマッピングされたｉ３及びｑ３とを有するグレイマッピングの６４ＱＡＭ信号コンスタレーションを示す。
【図１】
2008539617.tif 000003
【図２】
2008539617.tif 000004
【図３】
2008539617.tif 000005
【図４】
2008539617.tif 000006
【図５】
2008539617.tif 000007
【図６】
2008539617.tif 000008
【図７】
2008539617.tif 000009
【図８】
2008539617.tif 000010
【図９】
2008539617.tif 000011
【図１０】
2008539617.tif 000012
【図１１】
2008539617.tif 000013
【図１２】
2008539617.tif 000014
【図１３】
2008539617.tif 000015
【図１４】
2008539617.tif 000016
【図１５】
2008539617.tif 000017
【図１６】
2008539617.tif 000018
【図１７】
2008539617.tif 000019
【図１８】
2008539617.tif 000020
【国際調査報告】
2008539617.tif 000021
2008539617.tif 000022
2008539617.tif 000023